(57)【要約】【課題】  回線状態によることなく、加入者回線に接続する２つの端子の極性および接続状態を検出できる回線状態検出回路を提供する。【解決手段】  比較器３１は、非反転入力端子にＬ１ラインの加入者回線電圧に基づく電圧が入力され、反転入力端子にＬ２ラインの加入者回線電圧に基づく電圧が入力されると、これらを比較して第１検出データを出力する。比較器３２は、非反転入力端子にＬ２ラインの加入者回線電圧に基づく電圧が入力され、反転入力端子にＬ１ラインの加入者回線電圧に基づく電圧が入力されると、これらを比較して第２検出データを出力する。ここで、第１検出データがＨｉ状態で第２検出データがＬｏｗ状態であればＬ１＞Ｌ２の極性であり、第１検出データがＬｏｗ状態で第２検出データがＨｉ状態であればＬ１＜Ｌ２の極性であり、検出データがともにＬｏｗ状態ならば無接続状態である。【選択図】  図３
2006129382.tif 000002
【特許請求の範囲】
【請求項１】
２つの加入者回線電圧の一方を分圧して出力する第１分圧回路と、
前記加入者回線電圧の他方を分圧して出力する第２分圧回路と、
前記第１分圧回路の分圧電圧出力と前記第２分圧回路の分圧電圧出力とを比較する比較手段と、
を備えたことを特徴とする回線状態検出回路。
【請求項２】
前記第２分圧回路は２つの分圧電圧を出力し、
前記比較手段は、前記第１分圧回路の分圧電圧出力と前記第２分圧回路の一方の分圧電圧出力とを比較する第１比較器と、前記第１分圧回路の分圧電圧出力と前記第２分圧回路の他方の分圧電圧出力とを前記第１比較器とは逆の論理で比較する第２比較器とを備える請求項１に記載の回線状態検出回路。
【請求項３】
前記第２分圧回路は値の異なる２つの分圧電圧を出力する請求項２に記載の回線状態検出回路。
【請求項４】
前記第１比較器と前記第２比較器との入力端子にそれぞれプルアップ電圧を印加するプルアップ電圧印加手段を備え、
前記２つの加入者回線電圧が印加されていない時に、前記第１分圧回路の分圧電圧出力が入力される前記入力端子に印加される電圧が、前記第２分圧回路の分圧電圧出力の一方が入力される前記入力端子に印加される電圧よりも低く、前記第２分圧回路の分圧電圧出力の他方が入力される前記入力端子に印加される電圧よりも高くなるように前記第１分圧回路、第２分圧回路およびプルアップ電圧印加手段が構成されている請求項２または請求項３に記載の回線状態検出回路。
【発明の詳細な説明】
【技術分野】
【０００１】
この発明は、２つの加入者回線電圧から回線状態を検出する回線状態検出回路、特に、加入者回線の極性、接続状態を検出する回線状態検出回路に関するものである。
【背景技術】
【０００２】
一般電話の加入者回線は基本的には２線式（Ｌ１，Ｌ２）であり、この加入者回線に接続する通信機器（電話機、モデム等）はこれらＬ１ライン，Ｌ２ラインに接続する２つの端子を備えている。そして、通信機器では、加入者回線に発生している電圧の極性、すなわち、前記２つの端子に入力される電圧の大小関係を検出する必要がある。
【０００３】
このような通信機器として、特許文献１には、２つの端子に入力される大きな回線電圧を抵抗分圧することで低電圧化し、設定された基準電圧と比較することで、極性を判別する回線電圧判別回路が開示されている。
【特許文献１】登録実用新案第３００１７０３号公報
【発明の開示】
【発明が解決しようとする課題】
【０００４】
ところが、特許文献１に記載の回路電圧判別回路では、低電圧化された回線電圧を基準電圧と比較するため、元々電圧値の低い通話中の回線電圧の場合、２つの端子に入力される回線電圧間で基準電圧との差が小さく、比較結果が同じになるので極性を検出することができない。
【０００５】
また、無接続状態では回線電圧はオープン状態となることで、回路電圧判別回路にとっては低電圧状態になり、前記通話状態と無接続状態との判別もできない。
【０００６】
したがって、本発明の目的は、回線状態によることなく、加入者回線に接続する２つの端子間の電圧極性および接続状態を検出できる回線状態検出回路を提供することにある。
【課題を解決するための手段】
【０００７】
この発明の回線状態検出回路は、２つの加入者回線電圧の一方を分圧して出力する第１分圧回路と、加入者回線電圧の他方を分圧して出力する第２分圧回路と、第１分圧回路の分圧電圧出力と第２分圧回路の分圧電圧出力とを比較する比較手段と、を備えたことを特徴としている。
【０００８】
この構成では、第１分圧回路から出力される加入者回線電圧の一方（例えば、Ｌ１ライン）の分圧電圧と、第２分圧回路から出力される加入者回線電圧の他方（例えば、Ｌ２ライン）の分圧電圧とを比較手段により直接比較する。例えば、比較手段の非反転入力端子に第１分圧回路からの分圧電圧出力を入力させ、反転入力端子に第２分圧回路からの分圧電圧出力を入力させる。比較手段はこれら入力された電圧の大小により検出データを出力する。具体的には、第１分圧回路からの電圧が高ければＨｉ状態の検出データを出力し、第２分圧回路からの電圧が高ければＬｏｗ状態の判定信号を出力する。すなわち、２つ分圧回路の分圧電圧出力の大小関係により異なる検出データが出力されて、加入者回線の極性が検出される。
【０００９】
また、この発明の回線状態検出回路は、第２分圧回路で２つの分圧電圧を出力し、比較手段に、第１分圧回路の分圧電圧出力と第２分圧回路の一方の分圧電圧出力とを比較する第１比較器と、第１分圧回路の分圧電圧出力と第２分圧回路の他方の分圧電圧出力とを第１比較器とは逆の論理で比較する第２比較器とを備えることを特徴としている。
【００１０】
また、この発明の回線状態検出回路は、第２分圧回路から値の異なる２つの分圧電圧を出力することを特徴としている。
【００１１】
これらの構成では、第１分圧回路から出力される分圧電圧と、第２分圧回路から出力される分圧電圧の一方とを比較手段の第１比較器で直接比較し、第１分圧回路から出力される分圧電圧と、第２分圧回路から出力される分圧電圧の他方とを比較手段の第２比較器で直接比較する。例えば、第１比較器の非反転入力端子に第１分圧回路の分圧電圧出力を入力させ、反転入力端子に第２分圧回路の分圧電圧出力の一方を入力させる。第１比較器はこれら入力された電圧の大小により第１の検出データを出力する。具体的には、第１分圧回路からの分圧電圧が高ければＨｉ状態の第１の検出データを出力し、第２分圧回路からの分圧電圧が高ければＬｏｗ状態の第１の検出データを出力する。また、第２比較器の非反転入力端子に第２分圧回路からの分圧電圧出力の他方を入力させ、反転入力端子に第１分圧回路からの分圧電圧出力を入力させる。第２比較器はこれら入力された電圧の大小により第２の検出データを出力する。具体的には、第２分圧回路からの分圧電圧が高ければＨｉ状態の第１の検出データを出力し、第１分圧回路からの分圧電圧が高ければＬｏｗ状態の第２の検出データを出力する。すなわち、２つ分圧回路の分圧電圧の大小関係により異なる検出データ（第１の検出データと第２の検出データ）の組み合わせが得られる。これにより、加入者回線の極性が検出される。
【００１２】
また、この発明の回線状態検出回路は、第１比較器と第２比較器との入力端子にそれぞれプルアップ電圧を印加するプルアップ電圧印加手段を備え、２つの加入者回線電圧が印加されていない時に第１分圧回路の分圧電圧出力が入力される入力端子に印加される電圧を、第２分圧回路の分圧電圧出力の一方が入力される入力端子に印加される電圧よりも低く、第２分圧回路の分圧電圧出力の他方が入力される入力端子に印加される電圧よりも高くなるように、第１分圧回路、第２分圧回路、およびプルアップ電圧印加手段を構成することを特徴としている。
【００１３】
この構成では、加入者回線に接続する２つの端子が無接続状態ならば、比較手段の第１比較器、第２比較器にそれぞれ所定電圧値のプルアップ電圧が印加される。この際、各入力端子に供給される電圧（それぞれプルアップ電圧印加手段によりプルアップされた電圧）の電圧値が前述の関係であることから、第１比較器、第２比較器からは同じ状態の検出データが出力される。これにより、加入者回線の無接続状態が検出される。
【発明の効果】
【００１４】
この発明によれば、通話状態等の加入者回線電圧が低い状態でも、回線の極性を検出することができる。すなわち、加入者回線の接続状態によらず、回線の極性を検出する回線状態検出回路を構成することができる。さらに、無接続状態を検出する回線状態検出回路を構成することができる。
【発明を実施するための最良の形態】
【００１５】
本発明の第１の実施形態に係る回線状態検出回路について図１を参照して説明する。
図１は本実施形態の回線状態検出回路の概略構成を示すブロック図である。
本実施形態の回線状態検出回路は、加入者回線の２線（Ｌ１ライン、Ｌ２ライン）にそれぞれ接続する入力端子１，２と、第１、第２分圧回路１１，１２と、比較器３とを備える。
第１分圧回路１１は、直列接続された抵抗Ｒ１と抵抗Ｒ１１とからなり、Ｌ１ラインに接続する入力端子１に抵抗Ｒ１側の端部を接続し、抵抗Ｒ１１側の端部をグランドに接続し、抵抗Ｒ１，Ｒ１１の接続点、すなわち分圧点を比較器３の非反転入力端子に接続している。
【００１６】
第２分圧回路１２は、直列接続された抵抗Ｒ２と抵抗Ｒ２１とからなり、Ｌ２ラインに接続する入力端子２に抵抗Ｒ２側の端部を接続し、抵抗Ｒ２１側の端部をグランドに接続し、抵抗Ｒ２，Ｒ２１の接続点、すなわち分圧点を比較器３の反転入力端子に接続している。
【００１７】
比較器３は、第１分圧回路１１に接続する非反転入力端子と、第２分圧回路１２に接続する反転入力端子と、これらの端子に入力される電圧に基づく検出データを出力する出力端子と、を備える。
【００１８】
このような回線状態検出回路は次に示すように動作する。
【００１９】
Ｌ１，Ｌ２ラインを介して２つの加入者回線電圧が入力されると、第１分圧回路１１はＬ１ラインから入力される加入者回線電圧をグランドとの間で分圧する。すなわち、Ｌ１ラインに入力される加入者回線電圧のＲ１１／（Ｒ１＋Ｒ１１）倍の第１分圧電圧を比較器３の非反転入力端子に出力する。また、第２分圧回路１２はＬ２ラインから入力される加入者回線電圧をグランドとの間で分圧する。すなわち、Ｌ２ラインに入力される加入者回線電圧のＲ２１／（Ｒ２＋Ｒ２１）倍の第２分圧電圧を比較器３の反転入力端子に出力する。ここで、第１分圧回路１１の分圧比と第２分圧回路１２の分圧比とは略同じに設定されている。
【００２０】
比較器３は、非反転入力端子に入力された第１分圧電圧と、反転入力端子に入力された第２分圧電圧とを比較して、第１分圧電圧が第２分圧電圧よりも大きければＨｉ状態の検出データを出力する。一方、第１分圧電圧が第２分圧電圧よりも小さければＬｏｗ状態の検出データを出力する。
【００２１】
このような構成とすることで、第１分圧電圧と第２分圧電圧、すなわち、２つの加入者回線電圧の大小関係により比較器３から異なる状態の検出データが出力される。具体的には、表１に示すように、検出データのＨｉ状態／Ｌｏｗ状態に応じて加入者回線の極性が決まっているので、検出データのＨｉ／Ｌｏｗに応じて極性が検出される。
【００２２】
【表１】
2006129382.tif 000003
【００２３】
このような構成とすることで、通話時、非通話時を問わず、１つ（１ｂｉｔ）の検出データで加入者回線の極性を検出することができる。
【００２４】
次に、第２の実施形態に係る回線状態検出回路について図２を参照して説明する。
図２は本実施形態の回線状態検出回路の概略構成を示すブロック図である。
本実施形態の回線状態検出回路は、加入者回線の２線（Ｌ１ライン、Ｌ２ライン）にそれぞれ接続する入力端子１，２と、第１、第２分圧回路１１，１２と、比較器３，４とを備える。なお、第１の実施形態と同じ部分については、同じ記号を付しており、説明は省略する。
【００２５】
本実施形態に示す第１分圧回路１１は、第１の実施形態に示した第１分圧回路１１と同じ構成であるが、分圧点が比較器３の非反転入力端子に接続するとともに、比較器４の反転入力端子に接続している。
【００２６】
入力端子２に接続する第２分圧回路１２は第１局部分圧回路１２１と第２局部分圧回路１２２とからなる。
第１局部分圧回路１２１は、直列接続された抵抗Ｒ２と抵抗Ｒ２１とからなり、Ｌ２ラインに接続する入力端子２に抵抗Ｒ２側の端部を接続し、抵抗Ｒ２１側の端部をグランドに接続し、抵抗Ｒ２，Ｒ２１の接続点、すなわち分圧点を比較器３の反転入力端子に接続している。
【００２７】
第２局部分圧回路１２２は、直列接続された抵抗Ｒ３と抵抗Ｒ３１とからなり、Ｌ２ラインに接続する入力端子２に抵抗Ｒ３側の端部を接続し、抵抗Ｒ３１側の端部をグランドに接続し、抵抗Ｒ３，Ｒ３１の接続点、すなわち分圧点を比較器４の非反転入力端子に接続している。
【００２８】
比較器３は、第１分圧回路１１に接続する非反転入力端子と、第２分圧回路１２の第１局部分圧回路１２１に接続する反転入力端子と、これらの端子に入力される電圧に基づく検出データ（第１検出データ）を出力する出力端子とを備える。比較器４は、第２分圧回路１２の第２局部分圧回路１２２に接続する非反転入力端子と、第１分圧回路１１に接続する反転入力端子と、これらの端子に入力される電圧に基づく検出データ（第２検出データ）を出力する出力端子とを備える。なお、これら比較器３と比較器４とがそれぞれ本発明の「第１比較器」と「第２比較器」とに相当する。
【００２９】
このような回線状態検出回路は次に示すように動作する。
【００３０】
Ｌ１，Ｌ２ラインを介して２つの加入者回線電圧が入力されると、第１分圧回路１１はＬ１ラインから入力される加入者回線電圧とグランドとにより生じる電圧を分圧する。すなわち、Ｌ１ラインに入力される加入者回線電圧のＲ１１／（Ｒ１＋Ｒ１１）倍の第１分圧電圧を比較器３の非反転入力端子に出力する。また、第２分圧回路１２の第１局部分圧回路１２１はＬ２ラインから入力される加入者回線電圧とグランドとによる電圧を分圧する。すなわち、Ｌ２ラインに入力される加入者回線電圧のＲ２１／（Ｒ２＋Ｒ２１）倍の第２分圧電圧（１個目の第２分圧電圧）を比較器３の反転入力端子に出力する。また、第２分圧回路１２の第２局部分圧回路１２２は、Ｌ２ラインから入力される加入者回線電圧とグランドとにより生じる電圧を分圧する。すなわち、Ｌ２ラインに入力される加入者回線電圧のＲ３１／（Ｒ３＋Ｒ３１）倍の第３分圧電圧（２個目の第２分圧電圧）を比較器４の非反転入力端子に出力する。
【００３１】
ここで、第１分圧回路１１の分圧比と、第２分圧回路１２の第１局部分圧回路１２１の分圧比と、第２分圧回路１２の第２局部分圧回路１２２の分圧比とは略同じに設定されている。なお、第１局部分圧回路１２１と第２局部分圧回路１２２との分圧比を全く同じにする場合は、第２局部分圧回路１２２を省略して、第１局部分圧回路１２１の分圧電圧を比較器４の非反転入力端子に入力させてもよい。
【００３２】
比較器３は、非反転入力端子に入力された第１分圧電圧と、反転入力端子に入力された第２分圧電圧とを比較して、第１分圧電圧が第２分圧電圧よりも大きければＨｉ状態の第１検出データを出力する。一方、第１分圧電圧が第２分圧電圧よりも小さければＬｏｗ状態の第１検出データを出力する。比較器４は、非反転入力端子に入力された第３分圧電圧と、反転入力端子に入力された第１分圧電圧とを比較して、第３分圧電圧が第１分圧電圧よりも大きければＨｉ状態の第２検出データを出力する。一方、第３分圧電圧が第１分圧電圧よりも小さければＬｏｗ状態の第２検出データを出力する。すなわち、比較器４は比較器３とは逆の論理で２つの分圧電圧を比較する。
【００３３】
このような構成とすることで、比較器３から出力される第１検出データと比較器４から出力された第２検出データとの組み合わせに応じて加入者回線の極性が検出される。具体的には、表２に示すように、第１検出データ、第２検出データのＨｉ状態／Ｌｏｗ状態の組み合わせに対して加入者回線の極性が決まっているので、検出データの組み合わせに応じて極性が検出される。
【００３４】
【表２】
2006129382.tif 000004
【００３５】
この表２に示すように、第１検出データがＨｉ状態であり、第２検出データがＬｏｗ状態である場合には、第１分圧電圧が第２分圧電圧および第３分圧電圧よりも大きくなる、すなわち、Ｌ１ラインの加入者回線電圧がＬ２ラインの加入者回線電圧よりも大きくなるので、極性はＬ１＞Ｌ２と検出される。一方、第１検出データがＬｏｗ状態であり、第２検出データがＨｉ状態である場合には、第１分圧電圧が第２分圧電圧および第３分圧電圧よりも小さくなる、すなわち、Ｌ１ラインの加入者回線電圧がＬ２ラインの加入者回線電圧よりも小さくなるので、極性はＬ１＜Ｌ２と検出される。
このような構成とすることで、２つ（２ｂｉｔ）の検出データによって、第１の実施形態と同様に加入者回線の極性を検出することができる。
【００３６】
次に、第３の実施形態に係る回線状態検出回路について図３を参照して説明する。
図３は本実施形態の回線状態検出回路の概略構成を示すブロック図である。
第１分圧回路１４は、直列接続された抵抗Ｒ４１と抵抗Ｒ４２とからなり、Ｌ１ラインに接続する入力端子１に抵抗Ｒ４１側の端部を接続し、抵抗Ｒ４２側の端部をグランドに接続し、抵抗Ｒ４１，Ｒ４２の接続点、すなわち分圧点を比較器３１（オペアンプ１０１）の非反転入力端子および比較器３２（オペアンプ１０２）の反転入力端子に接続している。第１プルアップ回路４１は、直列接続された抵抗Ｒ４３と抵抗Ｒ４２（第１分圧回路１４が兼用）とからなり、Ｖｃｃ入力端子６ａに抵抗Ｒ４３側の端部を接続し、抵抗Ｒ４２側の端部をグランドに接続し、抵抗Ｒ４３，Ｒ４２の接続点、すなわち外部印加電圧Ｖｃｃの抵抗Ｒ４３，Ｒ４２の分圧点を比較器３１（オペアンプ１０１）の非反転入力端子および比較器３２（オペアンプ１０２）の反転入力端子に接続している。すなわち、第１分圧回路１４の分圧点と第１プルアップ回路４１の分圧点とが接続している。
【００３７】
入力端子２に接続する第２分圧回路１７は第１局部分圧回路１５と第２局部分圧回路１６とからなる。
第１局部分圧回路１５は、直列接続された抵抗Ｒ５１と抵抗Ｒ５２とからなり、Ｌ２ラインに接続する入力端子２に抵抗Ｒ５１側の端部を接続し、抵抗Ｒ５２側の端部をグランドに接続し、抵抗Ｒ５１，Ｒ５２の接続点、すなわち分圧点を比較器３１（オペアンプ１０１）の反転入力端子に接続している。
【００３８】
第２局部分圧回路１６は、直列接続された抵抗Ｒ６１と抵抗Ｒ６２とからなり、Ｌ２ラインに接続する入力端子２に抵抗Ｒ６１側の端部を接続し、抵抗Ｒ６２側の端部をグランドに接続し、抵抗Ｒ６１，Ｒ６２の接続点、すなわち分圧点を比較器３２（オペアンプ１０２）の非反転入力端子に接続している。
【００３９】
第２プルアップ回路５１は、直列接続された抵抗Ｒ５３と抵抗Ｒ５２（第２分圧回路１７の第１局部分圧回路１５が兼用）とからなり、Ｖｃｃ入力端子６ｂに抵抗Ｒ５３側の端部を接続し、抵抗Ｒ５２側の端部をグランドに接続し、抵抗Ｒ５３，Ｒ５２の接続点、すなわち外部印加電圧Ｖｃｃの抵抗Ｒ５３，Ｒ５２の分圧点を比較器３１（オペアンプ１０１）の反転入力端子に接続している。すなわち、第２分圧回路１７の第１局部分圧回路１５の分圧点と第２プルアップ回路５１の分圧点とが接続している。
【００４０】
第３プルアップ回路６１は、直列接続された抵抗Ｒ６３と抵抗Ｒ６２（第２分圧回路１７の第２局部分圧回路１６が兼用）とからなり、Ｖｃｃ入力端子６ｃに抵抗Ｒ６３側の端部を接続し、抵抗Ｒ６２側の端部をグランドに接続し、抵抗Ｒ６３，Ｒ６２の接続点、すなわち外部印加電圧Ｖｃｃの抵抗Ｒ６３，Ｒ６２の分圧点を比較器３２（オペアンプ１０２）の非反転入力端子に接続している。すなわち、第２分圧回路１７の第２局部分圧回路１６の分圧点と第３プルアップ回路６１の分圧点とが接続している。
【００４１】
比較器３１は、オペアンプ１０１と抵抗Ｒ１０１とを備える。オペアンプ１０１の非反転入力端子は比較器３１の非反転入力端子に相当し、第１プルアップ回路４１の抵抗Ｒ４２，Ｒ４３の接続点を介して抵抗Ｒ４１に接続している。オペアンプ１０１の反転入力端子は比較器３１の反転入力端子に相当し、第２プルアップ回路５１の抵抗Ｒ５２，Ｒ５３の接続点を介して抵抗Ｒ５１に接続している。オペアンプ１０１の接地端子は接地しており、駆動電圧入力端子はＶｃｃ入力端子７に接続するとともに、抵抗Ｒ１０１を介して出力端子に接続している。
【００４２】
比較器３２は、オペアンプ１０２と抵抗Ｒ１０２とを備える。オペアンプ１０２の非反転入力端子は比較器３２の非反転入力端子に相当し、第３プルアップ回路６１の抵抗Ｒ６２，Ｒ６３の接続点を介して抵抗Ｒ６１に接続している。オペアンプ１０２の反転入力端子は比較器３２の反転入力端子に相当し、抵抗Ｒ４１に接続している。オペアンプ１０２の接地端子は接地しており、駆動電圧入力端子はＶｃｃ入力端子８に接続するとともに、抵抗Ｒ１０２を介して出力端子に接続している。
このような回線状態検出回路は次に示すように動作する。
【００４３】
入力端子１にＬ１ラインの加入者回線電圧が入力されると、抵抗Ｒ４１と抵抗Ｒ４２とからなる第１分圧回路１４にＬ１ラインの加入者回線電圧が供給されて分圧される。この第１分圧電圧は第１プルアップ回路４１を介してオペアンプ１０１の非反転入力端子およびオペアンプ１０２の反転入力端子に供給される。同時に、入力端子２にＬ２ラインの加入者回線電圧が入力されると、抵抗Ｒ５１と抵抗Ｒ５２とからなる第２分圧回路１７の第１局部分圧回路１５にＬ２ラインの加入者回線電圧が供給されて分圧される。この第２分圧電圧は第２プルアップ回路５１を介してオペアンプ１０１の反転入力端子に供給される。また、入力端子２にＬ２ラインの加入者回線電圧が入力されると、抵抗Ｒ６１とＲ６２とからなる第２分圧回路１７の第２局部分圧回路１６にＬ２ラインの加入者回線電圧が供給されて分圧される。この第３分圧電圧は第３プルアップ回路６１を介してオペアンプ１０２の非反転入力端子に供給される。ここで、抵抗Ｒ４１，Ｒ４２による分圧比（第１分圧回路の分圧比）と、抵抗Ｒ５１，Ｒ５２による分圧比（第１局部分圧回路の分圧比）と、抵抗Ｒ６１，Ｒ６２による分圧比（第２局部分圧回路の分圧比）は略同じに設定されている。
【００４４】
ここで、第１プルアップ回路４１の抵抗Ｒ４２，Ｒ４３の接続点がオペアンプ１０１の非反転入力端子とオペアンプ１０２の反転入力端子とに接続しているので、無接続状態のようにＬ１ライン、Ｌ２ラインが開放であった場合に、これらの端子にはＶｃｃ電圧をグランドとの間において抵抗Ｒ４２，Ｒ４３で分圧した電圧がプルアップ電圧として入力される。また、抵抗Ｒ５２，Ｒ５３の接続点がオペアンプ１０１の反転入力端子に接続しているので、この端子にはＶｃｃ電圧をグランドとの間において抵抗Ｒ５２，Ｒ５３で分圧した電圧がプルアップ電圧として入力される。また、抵抗Ｒ６２，Ｒ６３の接続点がオペアンプ１０２の非反転入力端子に接続しているので、この端子にはＶｃｃ電圧をグランドとの間において抵抗Ｒ６２，Ｒ６３で分圧した電圧がプルアップ電圧として入力される。この際、抵抗Ｒ４３，Ｒ４２でのＶｃｃの分圧電圧は、抵抗Ｒ５３，Ｒ５２でのＶｃｃの分圧電圧よりも小さく、抵抗Ｒ６３，Ｒ６２での分圧電圧よりも大きく設定されている。
【００４５】
前述の各抵抗値の設定としては、例えば、抵抗Ｒ４１を５．６ＭΩ、抵抗Ｒ４２，Ｒ４３を１１０ｋΩ、抵抗Ｒ５１，Ｒ６１を１０ＭΩ、抵抗Ｒ５２，Ｒ６３を１９９．５５ｋΩ、抵抗Ｒ５３，Ｒ６２を１９３．４ｋΩとすればよい。
【００４６】
このような構成とすることで、オペアンプ１０１の非反転入力端子およびオペアンプ１０２の反転入力端子に第１プルアップ回路４１からのプルアップ電圧が供給され、オペアンプ１０１の反転入力端子に第２プルアップ回路５１からのプルアップ電圧が供給され、オペアンプ１０２の非反転入力端子に第３プルアップ回路６１からのプルアップ電圧が供給される。これにより、無接続時には、オペアンプ１０１，１０２ともに非反転入力端子に入力される電圧が反転入力端子に入力される電圧よりも低くなる。
【００４７】
オペアンプ１０１は抵抗Ｒ１０１とともにコンパレータとして機能し、非反転入力端子に入力される第１プルアップ回路４１の出力電圧（第１分圧電圧をプルアップした電圧）と、反転入力端子に入力される第２プルアップ回路５１の出力電圧（第２分圧電圧をプルアップした電圧）とを比較する。そして、第１プルアップ回路４１の出力電圧が第２プルアップ回路５１の出力電圧よりも大きければ、オペアンプ１０１はＨｉ状態（３．３Ｖ）の第１検出データを出力する。一方、第１プルアップ回路４１の出力電圧が第２プルアップ回路５１の出力電圧よりも小さければ、オペアンプ１０１はＬｏｗ状態（０Ｖ）の第１検出データを出力する。また、前述のような無接続状態の場合、非反転入力端子に入力される電圧が反転入力端子に入力される電圧よりも低くなるので、オペアンプ１０１はＬｏｗ状態（０Ｖ）の第１検出データを出力する。
【００４８】
オペアンプ１０２は抵抗Ｒ１０２とともにコンパレータとして機能し、反転入力端子に入力される第１プルアップ回路４１の出力電圧（第１分圧電圧をプルアップした電圧）と、非反転入力端子に入力される第３プルアップ回路６１の出力電圧（第３分圧電圧をプルアップした電圧）とを比較する。そして、第３プルアップ回路６１の出力電圧が第１プルアップ回路４１の出力電圧よりも大きければ、オペアンプ１０２はＨｉ状態（３．３Ｖ）の第２検出データを出力する。一方、第３プルアップ回路６１の出力電圧が第１プルアップ回路４１の出力電圧よりも小さければ、オペアンプ１０２はＬｏｗ状態（０Ｖ）の第２検出データを出力する。また、前述のような無接続状態の場合、非反転入力端子に入力される電圧が反転入力端子に入力される電圧よりも低くなるので、オペアンプ１０２はＬｏｗ状態（０Ｖ）の第２検出データを出力する。
【００４９】
このような構成では、オペアンプ１０１から出力される第１検出データとオペアンプ１０２から出力された第２検出データとの組み合わせに応じて加入者回線の極性が検出される。具体的には、表３に示すように、第１検出データ、第２検出データのＨｉ状態／Ｌｏｗ状態の組み合わせに対して加入者回線の極性および接続状態が決まっており、検出した組み合わせに応じて極性および接続状態が検出する。
【００５０】
【表３】
2006129382.tif 000005
【００５１】
この表３に示すように、第１検出データがＨｉ状態であり、第２検出データがＬｏｗ状態である場合には、第１分圧電圧が第２分圧電圧および第３分圧電圧よりも大きくなる、すなわち、Ｌ１ラインの加入者回線電圧がＬ２ラインの加入者回線電圧よりも大きくなるので、極性はＬ１＞Ｌ２と検出される。一方、第１検出データがＬｏｗ状態であり、第２検出データがＨｉ状態である場合には、第１分圧電圧が第２分圧電圧および第３分圧電圧よりも大きくなる、すなわち、Ｌ１ラインの加入者回線電圧がＬ２ラインの加入者回線電圧よりも小さくなるので、極性はＬ１＜Ｌ２と検出される。
【００５２】
さらに、第１分圧電圧、第２分圧電圧、第３分圧電圧がＶｃｃによりプルアップされた電圧のみからなる場合、第１検出データと第２検出データとがともにＬｏｗ状態になるので、無接続状態が検出される。
【００５３】
このような構成とすることで、２つ（２ｂｉｔ）の検出データによって、前述のように通話状態によらず極性を検出するとともに、無接続状態を検出する回線状態検出回路を実現することができる。
【図面の簡単な説明】
【００５４】
【図１】第１の実施形態に係る回線状態検出回路のブロック図
【図２】第２の実施形態に係る回線状態検出回路のブロック図
【図３】第３の実施形態に係る回線状態検出回路のブロック図
【符号の説明】
【００５５】
１，２−入力端子
３，４，３１，３２−比較器
１１，１２，１４，１５，１６−分圧回路
１２１，１２２−局部分圧回路
４１，５１，６１−プルアップ回路
６ａ〜６ｃ，７，８−Ｖｃｃ入力端子
１０１，１０２−オペアンプ
【図１】
2006129382.tif 000006
【図２】
2006129382.tif 000007
【図３】
2006129382.tif 000008